(57)【要約】      （修正有）【課題】警棒の上下動及び飛び出しを防ぎ、特別な操作を行うことなく、抜挿するだけで簡単に警棒を着脱することができ、摩耗し難くて耐久性が高い警棒吊り具の提供。【解決手段】ベルト通し部を有する吊り具本体１の表面に、警棒ａの棒体ｂを挿通可能で、警棒ａの鍔部ｄより小径の棒体挿通リング２を設けると共に、吊り具本体１の表面に、棒体挿通リング２より上方に向けて、表裏方向へ僅かに揺動可能な起立片１７を立設し、起立片１７の上端部表面に鍔部押え突起１８を形成してある。【選択図】図３
2014167373.tif 000002
【特許請求の範囲】
【請求項１】
ベルト通し部を有する吊り具本体の表面に、警棒の棒体を挿通可能で、内径が警棒の鍔部より小径な棒体挿通リングが設けられた警棒吊り具において、前記吊り具本体の表面に、前記棒体挿通リングの基端部より上方に向けて、表裏方向へ僅かに揺動可能な起立片が立設されると共に、該起立片の上端部表面に、警棒の鍔部に係合可能な鍔部押え突起が形成されたことを特徴とする警棒吊り具。
【請求項２】
前記棒体挿通リングを支持するリング支持部材が前記吊り具本体の表面に装着されると共に、該リング支持部材と前記起立片が一体に形成されたことを特徴とする請求項１に記載の警棒吊り具。
【請求項３】
前記棒体挿通リングの取り付け部分よりも上方において、前記リング支持部材の両側縁に、前記鍔部の外周面にその軸方向に沿って接触する突条がそれぞれ形成されたことを特徴とする請求項２に記載の警棒吊り具。
【請求項４】
前記棒体挿通リングが前記リング支持部材に、前記吊り具本体から直角に張り出した状態と、前記吊り具本体と平行な状態との間を回動可能に、且つ、張り出した状態及び平行な状態で位置決め可能に取り付けられたことを特徴とする請求項２又は３に記載の警棒吊り具。
【請求項５】
前記棒体挿通リングが上下２段に設けられ、上段の前記棒体挿通リングの基端部より上方に向けて前記起立片が立設されたことを特徴とする請求項１〜４のいずれかに記載の警棒吊り具。
【発明の詳細な説明】
【技術分野】
【０００１】
本発明は、腰ベルト等に取り付け、棒体、握り部、及び鍔を有する警棒を吊り下げて保持するための警棒吊り具に関する。
【背景技術】
【０００２】
従来、警棒をベルトから吊り下げて携行するための警棒吊り具が種々知られている。
例えば、特許文献１には、ベルト通しに棒体支持リングを上下２段に備え、棒体支持リングの上方に、警棒の周囲を取り巻いて警棒の飛び出しを防ぐ補助ベルトを設けた警棒吊りが記載されている。
しかし、この警棒吊りは、警棒を着脱する度に、補助ベルトの両端に装着した雄ホックと雌ホックを係脱して、補助リングを警棒に巻き付けたり、外したりしなければならず、操作が面倒であった。
【０００３】
また、特許文献２には、ベルト通しの表面に、警棒の握り部を保持する筒状の収納部を設け、収納部の内面に弾力性を有する保持材を固着し、収納部の上方に保持ベルトを設けた警棒ケースが記載されている。
この警棒ケースによれば、警棒の握り部を収納部に収納すると、握り部の周面からの圧力により保持材が弾性変形して、握り部の周面に摩擦力を与えるので、握り部が安定して保持されるが、柔らかい保持材は摩耗しやすく、長期間使用すると警棒を保持する力が低下してしまう。
また、特許文献１に記載されたものと同様に、保持ベルトを警棒に巻き付けたり、外したりするのは面倒であった。
【先行技術文献】
【特許文献】
【０００４】
【特許文献１】特開平８−３５７９６号公報
【特許文献２】特開平８−２３３４９３号公報
【発明の概要】
【発明が解決しようとする課題】
【０００５】
本発明が解決しようとする課題は、警棒の上下動及び飛び出しを防ぎ、特別な操作を行うことなく、抜挿するだけで簡単に警棒を着脱することができ、摩耗し難くて耐久性の高い警棒吊り具を提供することにある。
【課題を解決するための手段】
【０００６】
本発明は、ベルト通し部を有する吊り具本体の表面に、警棒の棒体を挿通可能で、内径が警棒の鍔部よりも小径な棒体挿通リングが設けられた警棒吊り具に関し、上記課題を解決するために、前記吊り具本体の表面に、前記棒体挿通リングより上方に向けて、表裏方向へ僅かに揺動可能な起立片が立設されると共に、該起立片の上端部表面に、警棒の鍔部の上面に係合可能な鍔部押え突起が形成されている。
【０００７】
前記棒体挿通リングを支持するリング支持部材が前記吊り具本体の表面に装着されると共に、該リング支持部材と前記起立片が一体に形成されても良い。
前記棒体挿通リングの取り付け部分よりも上方において、前記リング支持部材の両側縁に、前記鍔部の外周面にその軸方向に沿って接触する突条をそれぞれ形成するのが望ましい。
前記棒体挿通リングを前記リング支持部材に、前記吊り具本体から外方へ直角に張り出した状態と、前記吊り具本体と平行な状態との間を回動可能に、且つ、張り出した状態及び平行な状態で位置決め可能に取り付けてもよい。
前記棒体挿通リングを上下２段に設け、上段の前記棒体挿通リングより上方に向けて前記起立片を設けるとよい。
【発明の効果】
【０００８】
請求項１に係る発明によれば、棒体挿通リングに警棒の棒体を上から通して、警棒吊り具に警棒を収容すると、鍔部押え突起が鍔部の上面周縁部に引っ掛かって、警棒が上下動するのを防ぐため、警棒を収容したまま歩いたり走ったりしても、警棒が飛び出して落下する虞がない。
また、警棒の棒体を棒体挿通リングへ抜挿する際には、起立片が表裏方向へ揺動するので、鍔部押え突起が警棒の出し入れを阻害することはない。
さらに、鍔部押え突起は、弾性を有する柔らかい素材のように容易に摩耗する心配が無く、耐久性が高い。
【０００９】
請求項２に係る発明によれば、構造が簡単であり、棒体挿通リング及びリング支持部材を吊り具本体に取り付けるのと同時に起立片を装着できるので、製造も容易となる。
請求項３に係る発明によれば、警棒の鍔部の周面が突条によって周方向の２カ所で支持されるので、警棒のガタつきや回転を抑えることができ、この結果、警棒の損傷や摩耗が防止される。
請求項４に係る発明によれば、不用時に収納する際等に、嵩張らないよう棒体挿通リングを吊り具本体と平行に畳むことができ、しかも、警棒を引き抜く時に、棒体挿通リングが棒体の上昇に伴って一緒に回転せず、張り出した状態に保たれるため、棒体が棒体挿通リングに引っかかることがない。
請求項５に係る発明によれば、棒体が棒体挿通リングにより長さ方向の２カ所で支持されるため、警棒が大きく揺れたり倒れるのを防止できる。
【図面の簡単な説明】
【００１０】
【図１】本発明の実施例を示す警棒吊り具の側面図である。
【図２】本発明の実施例を示す警棒吊り具の正面図である。
【図３】本発明の実施例を示す警棒吊り具の使用状態における要部側面図である。
【図４】本発明の実施例を示す警棒吊り具の使用状態における要部平面図である。
【図５】本発明の実施例に係る棒体挿通リングの平面図である。
【図６】本発明の実施例に係る下段のリング支持部材の正面図である。
【図７】本発明の実施例に係る下段のリング支持部材及び棒体挿通リングのリング張り出し状態における断面図である。
【図８】本発明の実施例に係る下段のリング支持部材及び棒体挿通リングのリング回動途中における断面図である。
【図９】本発明の実施例に係る下段のリング支持部材及び棒体挿通リングのリング折り畳み状態における断面図である。
【図１０】本発明の実施例に係る上段のリング支持部材の正面図である。
【図１１】本発明の実施例に係る上段のリング支持部材の断面図である。
【図１２】本発明の実施例に係る上段のリング支持部材の平面図である。
【発明を実施するための形態】
【００１１】
以下、本発明の実施例を図面に基づいて詳細に説明する。
図１〜図４に示すように、本発明の警棒吊り具は、腰ベルト等に取り付け、警棒ａを吊り下げて保持するためのものである。警棒ａは、伸縮可能な棒体ｂ、棒体ｂの一端部に設けられた握り部ｃ、及び、棒体ｂと握り部ｃとの境界部外周囲に張り出して設けられた鍔部ｄを備える（図３、図４）。
また、警棒吊り具は、吊り具本体１と、吊り具本体１の表面に設けた上下２段の棒体挿通リング２を備える。
【００１２】
吊り具本体１は、革等の強靭な素材で縦長帯状に形成され、ベルト取付部３と、ベルト取付部３の表面下部に固定された警棒支持部４とから成る。
ベルト取付部３は、表板５、中板６及び裏板７を強固に貼りつけて形成される。裏板７の上端は中板６の上端よりも長く延び、表板５の上端は裏板７の上端よりもさらに長く延びている。
また、表板５の上端部及び裏板７の上端部には、互いに着脱自在に係合する係止具８ａ，８ｂが装着され、表板５の上端部を裏側に折り返して係止具８ａ，８ｂを係合すると、吊り具本体１の上端にループ状のベルト通し部９が形成されるようになっている。
警棒支持部４は、ベルト取付部３とほぼ同幅であり、その裏面上部をベルト取付部３の表面下部に重ねて、動かないように固定してある。
また、警棒支持部４の表面の上部と下部には、それぞれ上段のリング支持部材１０ａ及び下段のリング支持部材１０ｂを介して棒体挿通リング２が取り付けられる。
【００１３】
下段のリング支持部材１０ｂ及び棒体挿通リング２は、従来のものとほぼ同様の構造を有する。
図５に示すように、棒体挿通リング２の先端側は、警棒ａの棒体ｂの外径よりやや大きく、鍔部ｄの外径よりやや小さい内径を有する円弧状に形成される。
棒体挿通リング２の基端部は、直線状で断面略矩形の軸部１１となっており、軸部１１の中央部には、円の内側に向けて張り出した断面略半円形の係合突起１２が形成されている。
【００１４】
下段のリング支持部材１０ｂは、図６〜図９に示すように、縦長長方形状の板体より成り、リング支持部材１０ｂの表面は上下方向中央部に向かって次第に厚くなるよう緩やかに隆起している。
また、リング支持部材１０ｂの裏面の上下方向中央部には、棒体挿通リング２の軸部１１が回動可能に係合する軸係合溝１３が幅方向に沿って形成され、軸係合溝１３の中央部に、軸部１１に設けられた係合突起１２と係脱する係合凹部１４が形成される。
なお、軸係合溝１３の深さは軸部１１の幅と同じか僅かに大きく、軸係合溝１３の上下寸法は、軸部１１の外周面から係合突起１２の先端までの幅と同じか僅かに大きくしてある。
そして、警棒支持部４の表面に板バネ１５及びリング支持部材１０ｂを順次重ね、警棒支持部４、板バネ１５及びリング支持部材１０ｂを、軸係合溝１３の上下両側に挿通した鋲１９によって固定してある。リング支持部材１０ｂの軸係合溝１３には棒体挿通リング２の軸部１１が係合されており、軸部１１の裏側に臨んで板バネ１５が配置されることになる。
【００１５】
図７に示すように、棒体挿通リング２が吊り具本体１の警棒支持部４から直角に張り出した状態では、係合突起１２が係合凹部１４に係合している。この時、軸部１１の外周面が板バネ１５に押圧されて回動が規制され、棒体挿通リング２は張り出した状態で位置決めされる。
棒体挿通リング２の先端部を強制的に押し上げるか、或いは押し下げると、図８に示すように、軸部１１がその角部で板バネ１５を押しのけながら回動し、係合突起１２が係合凹部１４から脱出する。
【００１６】
図９に示すように、棒体挿通リング２が警棒支持部４と平行になる位置まで回転すると、軸部１１が完全に軸係合溝１３に収容され、軸部１１の角部で押されていた板バネ１５が元の位置に復帰して、軸部１１の下面或いは上面が板バネ１５により押圧される。この結果、軸部１１の回動が規制され、棒体挿通リング２は吊り具本体１の警棒支持部４と平行な状態で位置決めされる。
棒体挿通リング２を逆方向に回動操作すれば、簡単に棒体挿通リング２を吊り具本体１から直角に張り出した状態で位置決めすることができる。
【００１７】
上段のリング支持部材１０ａは、その下半部の構造、警棒支持部４に対する取付構造、及び棒体挿通リング２の支持構造に関し、下段のリング支持部材１０ｂと変わるところはないので、詳細な説明を省略する。
図１０及び図１１に示すように、軸係合溝１３より上方において、リング支持部材１０ａの表面両側縁に上下方向に沿って突条１６が形成される。突条１６の先端面は、リング支持部材１０ａの中心に向かって突条１６の高さが次第に低くなるよう傾斜した傾斜面１６ａとなっている。
さらに、両側の突条１６の下端間には、表面側に突出した鍔部受け面２０が形成されている。
【００１８】
また、リング支持部材１０ａの上端から上方に向けて起立片１７が一体に立設され、起立片１７の上端部表面に鍔部押え突起１８が形成されている。なお、直角に張り出した棒体挿通リング２の上面から鍔部押え突起１８の下面までの距離は、警棒ａの鍔部ｂの厚みよりも僅かに大きい程度とする。
常態（起立片１７が警棒支持部４と平行に起立した状態）において、起立片１７と警棒支持部４の表面との間には隙間が形成され、起立片１７が表裏方向へ僅かに揺動可能となっている。
また、断面において、鍔部押え突起１８の上面は、先端側が次第に低くなるよう傾斜または円弧状のガイド面１８ａとなっており、鍔部押え突起１８の先端部は、角取りを施してなだらかな弧状に湾曲している。さらに、鍔部押え突起１８の先端面は、平面視で凹状の弧状面１８ｂとなっている。
そして、常態では、鍔部押え突起１８の先端が突条１６の先端より僅かに外側へ突出している。
【００１９】
この警棒吊り具を用いて警棒ａを保持するには、まず、ベルト通し部９にベルトを通して、吊り具本体１をベルトから吊り下げ、棒体挿通リング２を吊り具本体１から直角に張り出す。
次いで、図３に示すように、警棒ａの棒体ｂを上から棒体挿通リング２に通す。棒体ｂより径大な鍔部ｄが起立片１７の上端に形成された鍔部押え突起１８に達すると、鍔部ｄは、鍔部押え突起１８のガイド面１８ａに案内されて起立片１７を裏面側へ押しのけながら下降し、下面がリング支持部材１０ａの鍔部受け面２０に当たって停止する。
【００２０】
この時、鍔部ｄは鍔部押え突起１８を通過しているので、起立片１７が表面側へ揺動して元の位置に戻り、鍔部押え突起１８が鍔部ｄの上面周縁部に引っ掛かる。従って、鍔部ｄは鍔部押え突起１８と上段の棒体挿通リング２で上下から挟まれ、警棒ａが上下動するのを防ぐ。
また、図４に示すように、上段のリング支持部材１０ａの両側縁に形成された突条１６の先端面が、鍔部ｄの外周面にその軸方向に沿って接触する。このように、鍔部ｄの外周面が突条１６によって周方向の２カ所で支持されるので、警棒ａのガタつきや回転が防止される。
警棒ａを使用する際は、握り部ｃを握って引き上げれば、鍔部ｄに押されて起立片１７が裏面側へ揺動し、鍔部押え突起１８が鍔部ｄの進路から退避するので、簡単に警棒ａを警棒吊り具から引き抜くことができる。
【符号の説明】
【００２１】
ａ      警棒
ｂ      棒体
ｃ      握り部
ｄ      鍔部
１      吊り具本体
２      棒体挿通リング
３      ベルト取付部
４      警棒支持部
５      表板
６      中板
７      裏板
８ａ，８ｂ  係止具
９      ベルト通し部
１０ａ  上段のリング支持部材
１０ｂ  下段のリング支持部材
１１    軸部
１２    係合突起
１３    軸係合溝
１４    係合凹部
１５    板バネ
１６    突条
１６ａ  傾斜面
１７    起立片
１８    鍔部押え突起
１８ａ  ガイド面
１８ｂ  弧状面
１９    鋲
２０    鍔部受け面
【図１】
2014167373.tif 000003
【図２】
2014167373.tif 000004
【図３】
2014167373.tif 000005
【図４】
2014167373.tif 000006
【図５】
2014167373.tif 000007
【図６】
2014167373.tif 000008
【図７】
2014167373.tif 000009
【図８】
2014167373.tif 000010
【図９】
2014167373.tif 000011
【図１０】
2014167373.tif 000012
【図１１】
2014167373.tif 000013
【図１２】
2014167373.tif 000014